(57)【要約】【課題】  従来の欠陥管理方式では、非リアルタイムデータに対する代替処理により、引き続くリアルタイムデータの処理の開始が遅延される。【解決手段】  記録範囲エントリー１１にセッション開始フラグ１２の１ビットを追加することで、従来のセッション開始位置をセッションの最大個数を用意していた従来の管理情報に比べて、管理情報のデータ量を少なく抑える。欠陥と判断する第１のレベルと、訂正限界の第２のレベルとの２つのレベルを持ち、第１レベル以上且つ第２レベル以下の場合は交替処理を保留し、優先度の高い処理がないときに、保留した交替処理を再開する。【選択図】  図１
2005339738.tif 000002
【特許請求の範囲】
【請求項１】
誤り個数がこれ以上であれば欠陥と判断する閾値である第１のレベルと、前記第１のレベルの誤り個数以上で且つ誤り訂正限界の誤り個数以下を閾値とする第２のレベルとの２つのレベルを持ち、
（ａ）誤り個数が前記第２レベル以上の場合は交替処理を行うステップと、
（ｂ）誤り個数が前記第１レベル以上且つ前記第２レベル以下の場合は交替処理を保留するステップと、
（ｃ）前記保留した交替処理を再開するステップと、
を備えたことを特徴とする欠陥管理方法。
【請求項２】
前記レベル２の誤り個数は誤り訂正限界の誤り個数に等しいことを特徴とする請求項１記載の欠陥管理方法。
【請求項３】
さらに、（ｄ）リアルタイムデータの記録もしくは再生の要求があるか判断するステップを備え、
前記ステップ（ｄ）が要求なしと判断した場合に、前記ステップ（ｃ）を行うことを特徴とする請求項１記載の欠陥管理方法。
【請求項４】
さらに、（ｅ）環境変化に伴うキャリブレーションの要求があるか判断するステップを備え、
前記ステップ（ｅ）が要求なしと判断した場合に、前記ステップ（ｃ）を行うことを特徴とする請求項１記載の欠陥管理方法。
【請求項５】
さらに、記録データを保持するバッファを備え、
前記ステップ（ｂ）は、交替処理を保留した欠陥へ記録しようとしたデータを前記バッファに退避させ、
前記ステップ（ｃ）は、前記バッファに退避したデータを用いて交替処理を行うことを特徴とする請求項１記載の欠陥管理方法。
【請求項６】
前記ステップ（ｃ）は、交替処理を保留した欠陥から再生したデータを用いて交替処理を行うことを特徴とする請求項１記載の欠陥管理方法。
【請求項７】
さらに、（ｆ）交替処理を保留したことを示す欠陥管理情報を情報記録媒体へ書き込むステップと、
（ｇ）前記欠陥管理情報を読み出して、保留した交替処理があれば、前記ステップ（ｃ）を行うことを特徴とする請求項１記載の欠陥管理方法。
【請求項８】
欠陥領域であるが誤り訂正可能であることを識別する情報を含みうる欠陥管理情報を備えた情報記録媒体。
【発明の詳細な説明】
【技術分野】
【０００１】
本発明は、情報記録媒体の欠陥管理方式に係り、特にリアルタイム性に好適な欠陥管理方式に関する。
【背景技術】
【０００２】
複数の装置の間で交換可能な情報記録媒体として光ディスクがある。音楽用に開発されて近年ではデータ用にも幅広く用いられているＣＤや、ディジタルビデオ用に開発され急激に普及し始めたＤＶＤや、さらにはハイビジョン等のより高品質なビデオ用に開発が進められている次世代光ディスクなどである。
【０００３】
こうした交換可能な媒体は、カートリッジなしであったりカートリッジがあるとしても完全密封でないため、埃や指紋が付着したりする。又、ディスクの生産過程において記録層に微小なゴミが混入することもある。このような記録および再生品質が劣る箇所の内、所定の閾値を超えて劣る箇所を欠陥領域と呼ぶ。
【０００４】
ディスク上に欠陥領域が多少存在しても、データの信頼性を確保するために、従来から欠陥領域に対して別の交替領域に代替させる手法、即ち欠陥管理が行われる（例えば、特許文献１、２参照）。
【０００５】
欠陥領域と判定される閾値は、媒体の経時劣化や再生装置間の性能バラツキや温度変化に伴う再生条件の変動を考慮して、再生不能なレベルから一定以上のマージンが有るか無いかで行われる（例えば、特許文献１参照）。
【０００６】
一方、ビデオ用途を想定した場合、最重要視されるのはデータのリアルタイム性となる。ビデオなどのリアルタイムデータに対しては、欠陥管理によるデータの信頼性向上のメリットよりも、欠陥管理により代替された交替領域へのアクセスに伴う遅延のデメリットが大きくなる。従って、リアルタイムデータに対しては、欠陥管理による代替動作は禁止される（例えば、非特許文献１参照）。
【０００７】
近年のディジタル化されたリアルタイムデータを記録再生する情報記録媒体では、ファイルシステムによって管理される。ＤＶＤを例に挙げると、ＵＤＦ（Ｕｎｉｖｅｒｓａｌ  Ｄｉｓｃ  Ｆｏｒｍａｔ）と呼ばれるファイルシステムによって、ＭＰＥＧ２コーデックされた動画ファイルが管理されている。つまり、データ信頼性重視のファイルシステム等の非リアルタイムデータと、リアルタイム性重視のリアルタイムデータとが、１枚のディスクに混在することになる。
【０００８】
又、より高密度なデータを記録する情報記録媒体では、温度などの環境変化に伴い記録条件および再生条件を最適に調整する（キャリブレーションと呼ぶ）必要がある。環境の変化があるのにキャリブレーションを実行しない場合、適正な記録マークを記録することはできないし、適正な記録マークから良好な再生信号を再生することもできない。
【特許文献１】特開昭５９−１６５２０７号公報
【特許文献２】特公平５−６８９１号公報
【非特許文献１】ＡＮＳＩ  Ｔ１０／１５４５規格「Ｍｕｌｔｉｍｅｄｉａ  Ｃｏｍｍａｎｄｓ  −  ４  （ＭＭＣ−４）」の４．７節のＲｅａｌ−Ｔｉｍｅ  Ｓｔｒｅａｍ  Ｒｅｃｏｒｄｉｎｇ／Ｐｌａｙｂａｃｋ  Ｍｏｄｅｌ
【発明の開示】
【発明が解決しようとする課題】
【０００９】
しかしながら、上記で説明した従来の欠陥管理方式では、リアルタイムデータと非リアルタイムデータとが交互に記録されると、非リアルタイムデータに対しては欠陥管理による代替処理が適用されて、引き続くリアルタイムデータの処理の開始が遅延されるといった課題がある。
【００１０】
本発明は上記問題点に鑑み、リアルタイムデータと非リアルタイムデータと混じって記録される場合においても、リアルタイム性とデータ信頼性をより高いレベルで両立させる欠陥管理方式を提供することを目的とする。
【課題を解決するための手段】
【００１１】
本発明の欠陥管理方法は、誤り個数がこれ以上であれば欠陥と判断する閾値である第１のレベルと、前記第１のレベルの誤り個数以上で且つ誤り訂正限界の誤り個数以下を閾値とする第２のレベルとの２つのレベルを持ち、（ａ）誤り個数が前記第２レベル以上の場合は交替処理を行うステップと、（ｂ）誤り個数が前記第１レベル以上且つ前記第２レベル以下の場合は交替処理を保留するステップと、（ｃ）前記保留した交替処理を再開するステップとを備える。
【００１２】
ここで、前記レベル２の誤り個数は誤り訂正限界の誤り個数に等しくしてもよい。
【００１３】
本発明の欠陥管理方法は、さらに、（ｄ）リアルタイムデータの記録もしくは再生の要求があるか判断するステップを備え、前記ステップ（ｄ）が要求なしと判断した場合に、前記ステップ（ｃ）を行うことを特徴とする。
【００１４】
本発明の欠陥管理方法は、さらに、（ｅ）環境変化に伴うキャリブレーションの要求があるか判断するステップを備え、前記ステップ（ｅ）が要求なしと判断した場合に、前記ステップ（ｃ）を行うことを特徴とする。
【００１５】
本発明の欠陥管理方法は、さらに、記録データを保持するバッファを備え、前記ステップ（ｂ）は、交替処理を保留した欠陥へ記録しようとしたデータを前記バッファに退避させ、前記ステップ（ｃ）は、前記バッファに退避したデータを用いて交替処理を行うことを特徴とする。
【００１６】
ここで、前記ステップ（ｃ）は、交替処理を保留した欠陥から再生したデータを用いて交替処理を行ってもよい。
【００１７】
本発明の欠陥管理方法は、さらに、（ｆ）交替処理を保留したことを示す欠陥管理情報を情報記録媒体へ書き込むステップと、（ｇ）前記欠陥管理情報を読み出して、保留した交替処理があれば、前記ステップ（ｃ）を行うことを特徴とする。
【００１８】
本発明の情報記録媒体は、欠陥領域であるが誤り訂正可能であることを識別する情報を含み得る欠陥管理情報を備える。
【発明の効果】
【００１９】
本発明の欠陥管理方法によれば、非リアルタイムデータに対する欠陥領域であっても、ベリファイレベルから再生不能レベルの間、即ち再生可能な範囲であれば、交替処理は保留され、引き続くリアルタイムデータの処理の開始が遅延しない。
【００２０】
本発明の欠陥管理方法によれば、リアルタイムデータの処理が要求されていない間に、保留された交替処理が再開され、非リアルタイムデータのデータ信頼性が確保できる。
【００２１】
本発明の欠陥管理方法によれば、非リアルタイムデータに対する欠陥領域であっても、ベリファイレベルから再生不能レベルの間、即ち再生可能な範囲であれば、交替処理は保留され、要求されたキャリブレーションの処理を即座に実行できる。
【００２２】
本発明の欠陥管理方法によれば、キャリブレーションの処理が要求されていない間に、保留された交替処理が再開され、非リアルタイムデータのデータ信頼性が確保できる。
【発明を実施するための最良の形態】
【００２３】
（実施の形態１）
以下、本発明の実施の形態１について、図面を用いて説明する。
【００２４】
図１は、本発明の実施の形態１における光ディスクの誤りバイト数の出現頻度を示す図である。
【００２５】
光ディスクの生産工程で記録面に混入した不純物や、光ディスクの表面に付着した埃や指紋によって、データに誤りを起す箇所が光ディスク上に分布する。、多少の誤りが存在しても正しくデータが再生できるように、光ディスクに記録されるデータには誤り訂正コードが付加される。しかしながら、データに誤りを起す箇所が局所的に集中した場合には、付加された誤り訂正コードの訂正限界を超えて、正しくデータが再生できなくなる。この対策として、光ディスクには欠陥管理が導入されて、予め用意されたスペア領域に代替処理を行うことで、エラーフリーな蓄積媒体として振舞うことができる。通常、交替処理が適用される欠陥とは、媒体の経時劣化や装置間の性能バラツキや周囲環境の変動などのマージンを考慮して、再生限界よりも厳しい（許容する誤りバイト数が少ない）閾値によって判断される。従って、図１においては、網掛けされた部分が交替処理の対象となる。
【００２６】
さて、図１の網掛け部分の中で訂正限界と示したラインよりも下に位置する部分について考えると、前述したマージンを考慮しなければ、未だ正しくデータを再生できることが分かる。そこで、本発明においては、前述した訂正限界以下で且つ欠陥閾値以上の第２のレベルを定義する。例えば、交替しないまま長く放置しない、同一の装置で再生するといった条件を満たせば、少ないマージンでも十分なデータ再生を保証できる。つまり、交替対象の中で第２のレベルよりも上か下かによって、交替処理の優先度を切り替えることができれば、光ディスクおよび装置の利便性を向上させることができる。例えば、オーディオ・ビデオなどのストリームデータの記録再生処理や、周囲環境の変化に伴うキャリブレーション処理など、時間的にクリティカルな処理な要求がある場合、交替対象の中で第２のレベルより下の部位においては、時間的にクリティカルな処理が完了するまで、交替動作を保留することが望ましい。
【００２７】
図２は、本発明の実施の形態１における光ディスクの領域構成の一例を示す図である。円盤状のディスク媒体１には、スパイラル状に多数のトラック溝２が形成されており、各トラック溝２には細かく分けられた多数のブロック３が形成されている。ブロック３は、誤り訂正の単位であり、記録および再生動作が行われる最小の単位である。また、ディスク媒体１の領域は、リードイン領域４とデータ領域５とスペア領域６とリードアウト領域７に大別される。データの記録再生は基本的にデータ領域６に対して行われる。データ領域５において正常に記録再生できないブロック３は、スペア領域７のブロック３によって交替される。この場合、データの記録再生は交替に用いたスペア領域７に対して行われる。リードイン領域４とリードアウト領域７は、光ヘッド（図示せず）がデータ領域５もしくはスペア領域６の端へアクセスする場合に、光ヘッドがオーバーランしてもトラック溝２に追随できるようにのりしろとしての役割を果たす。また、リードイン領域４には、データ領域５のブロック３を交替するスペア領域６のブロック３の関係を示す欠陥リスト８が記録される。
【００２８】
図３は、本発明の実施の形態１における欠陥リスト８のデータ構造を示す図である。欠陥リスト８は、データ領域５のブロック３とスペア領域６のブロック３の１つの関係を示す欠陥エントリ９を必要な個数分だけ含む。ここで、＃に続く番号がエントリ番号を示す。各々の欠陥エントリ９は、交替が保留されているか否かを示す保留状態１０と、交替対象となるデータ領域５のブロック３の位置を示す欠陥位置１１と、交替が保留されていない場合に交替先となるスペア領域６のブロック３の位置を示す交替位置１２とから構成される。
【００２９】
交替が保留されている場合、交替先が割付済みの場合と、交替先が未割付の場合の２通りが考えられる。例えば、交替先が割付済みの場合は、交替位置１２に、上記と同様に交替先となるスペア領域６のブロック３の位置を示す値が設定されていればよい。逆に、交替先が未割付の場合、交替位置１２に、未割当を示す所定の値、例えば０、が設定されていればよい。
【００３０】
なお、保留状態１０は、交替が保留されているか否かを示しさえすればよいので、１ビットのフラグで値１で保留を示してもよいし、複数ビットからなる数値として所定の値で保留を示してもよい。
【００３１】
ここで示した欠陥リスト８、欠陥エントリ９は一例であって、例えば保留状態１０と欠陥位置１１と交替位置１２の配置関係が入れ替わるなど、自明な変更態様があっても構わない。
【００３２】
図４は、本発明の実施の形態１における光ディスク装置１００の構成を示す。
【００３３】
光ディスク装置１００は、上位制御装置（図示せず）にＩ／Ｏバス１７０を介して接続されている。上位制御装置は、典型的には、ホストコンピュータである。  光ディスク装置１００は、上位制御装置からの命令を処理する命令処理部１１０と、ディスク媒体１への記録時の制御を行う記録制御部１２０と、ディスク媒体１からの再生時の制御を行う再生制御部１３０と、欠陥リスト８から再生した内容を格納する欠陥リストバッファ１４０と、記録及び再生データを一時的に格納するデータバッファ１５０と、欠陥管理の処理を行う欠陥管理処理部１６０とを機能的に備えている。
【００３４】
欠陥管理処理部１６０は、欠陥リスト８の内容を欠陥リストバッファ１４０に読み出す欠陥リスト読み出し部１６１と、欠陥リストバッファ１４０の内容を欠陥リスト８に書き込む欠陥リスト書き込み部１６２と、欠陥リストに従ってアクセス対象のブロック３の位置を求めるアドレス変換部１６３と、如何なる交替を実行するかに従って欠陥リストを更新する欠陥リスト更新部１６４と、保留されている交替に対して交替を実行する遅延交替実行部１６５とを含む。
【００３５】
次に、フローチャートを参照しながら、本発明の実施の形態１におけるディスク装置１００の動作を説明する。
【００３６】
図５は、欠陥管理部１６０関連を中心に光ディスク装置１００の全体動作を示すフローチャートである。欠陥リストの読み出し処理（ステップ５０４）が欠陥リスト読み出し部１６１に相当し、欠陥リストの書き込み処理（ステップ５０６）が欠陥リスト書き込み部１６２に相当し、アドレス変換処理（ステップ５１２）がアドレス変換部１６３に相当し、ステップ５１４〜５１６が欠陥リスト更新部１６４に相当し、遅延交替の実行（ステップ５１８）が遅延交替実行部１６５に相当する。なお、アドレス変換処理（ステップ５１２）と遅延交替の実行（ステップ５１８）については、別のフローチャートで詳細は後述する。
【００３７】
それまで、ディスク媒体１が無くて（ステップ５０１）、新たに光ディスク装置１００に装着されると（ステップ５０２）、ディスク媒体１を回転させて光ピック（図示せず）のフォーカスやトラッキングなどの制御をしてディスク媒体１に対して記録および再生ができる状態へ立ち上げ（ステップ５０３）、リードイン領域４にある欠陥リスト８の内容を欠陥リストバッファ１４０に読み出す（ステップ５０４）。
【００３８】
既にディスク媒体１が装着されていて（ステップ５０１）、装置のイジェクトボタン（図示せず）の押下などによる排出要求がある場合（ステップ５０５）、欠陥リストバッファ１４０に何らかの変更があれば、その内容をリードイン領域４にある欠陥リスト８に書き込み（ステップ５０６）、光ピック（図示せず）のフォーカスやトラッキングやディスク媒体１の回転などの制御を止めてディスク媒体１を排出する（ステップ５０７）。
【００３９】
上位装置（図示せず）からリアルタイムデータの記録もしくは再生の要求や、以前にキャリブレーションした周囲環境から所定以上の変化を検出するなどの優先すべき処理がある場合（ステップ５０８）、それぞれに要求に従って、リアルタイム記録もしくは再生の処理（ステップ５０９）、回路などのキャリブレーションの処理（ステップ５１０）を行う。
【００４０】
上位装置（図示せず）から非リアルタイムの記録もしくは再生の要求があれば（ステップ５１１）、欠陥管理による交替を考慮したアドレスの変換処理（ステップ５１２）で求めたブロック３の記録もしくは再生処理を行う（ステップ５１３）。ここで、ステップ５１３の記録処理において、記録動作に引き続いて確認のための再生動作が行われる。一般に、この再生動作をベリファイ動作と呼ばれる。ステップ５１３における誤りバイト数によって分岐が行われ（ステップ５１４）、レベル２（図１の第２のレベル）以上の場合は即時に交替する欠陥として欠陥リスト８（欠陥リストバッファ上）に登録し（ステップ５１５）、レベル１（図１の第１のレベル）以上かつレベル２未満の場合は交替を保留する欠陥として欠陥リスト８（欠陥リストバッファ上）に登録する（ステップ５１６）。
【００４１】
上位装置（図示せず）から要求が無い場合（ステップ５１１）、交替が保留しているものがあれば（ステップ５１７）、保留していた交替を実行する（ステップ５１８）。
【００４２】
図６は、ステップ５１４〜５１６で示した欠陥リスト更新部１６４による欠陥リスト８の内容の遷移を示す図である。
【００４３】
図６（ａ）は、更新前の欠陥リスト８の内容を示し、４つの欠陥エントリ９を持ち、欠陥位置１１に記されたＤ１からＤ４が、それぞれ交替位置１２に記されたＲ１からＲ４に交替されていることを示す。
【００４４】
図６（ｂ）は、図６（ａ）の状態からステップ５１５が行われた欠陥リスト８の内容を示す。保留状態１０に交替を保留していないことを示す０、欠陥位置１１に検出された欠陥の位置Ｄｎｅｗ、交替位置１１に新しく割り当てたスペアの位置Ｒｎｅｗ、を設定した欠陥エントリ９が追加され、各欠陥エントリ９の欠陥位置１１の昇順にソーティングされる。ここで、Ｄ２＜Ｄｎｅｗ＜Ｄ３の大小関係とする。
【００４５】
図６（ｃ）は、図６（ａ）の状態からステップ５１７が行われた欠陥リスト８の内容を示す。保留状態１０に交替を保留していることを示す１、欠陥位置１１に検出された欠陥の位置Ｄｎｅｗ、交替位置１１には割り当てスペアがないことを示す０、を設定した欠陥エントリ９が追加され、各欠陥エントリ９の欠陥位置１１の昇順にソーティングされる。ここで、Ｄ２＜Ｄｎｅｗ＜Ｄ３の大小関係とする。
【００４６】
なお、図６で示した欠陥リスト８の内容の遷移は一例である。例えば欠陥エントリ９のソーティング方法において、保留状態１０を欠陥位置１１の上位ビットとして扱ってもよい（この場合、図６（ｃ）で追加される欠陥エントリ９は＃５の位置になる）。又、交替を保留する場合であっても交替先を割り当ててもよい（この場合、図６（ｃ）で追加される欠陥エントリ９の交替位置１２はＲｎｅｗになる）。さらに、交替が保留されていない欠陥エントリ９だけを持つものと、交替が保留されている欠陥エントリ９だけを持つものとを、それぞれ別個の欠陥リスト８として持ってもよい。又、ディスク媒体１が光ディスク装置１００から取り出されたときには、保留された交替が無いように制御する（図５のステップ５０７よりも前に、保留されている全ての欠陥に対してステップ５１８を行う）のであれば、ディスク媒体１のリードイン領域４の欠陥リスト８の欠陥エントリ９には保留状態１０がなくてもよい。この場合、ディスク媒体１が排出されるまでに、保留された交替が無くなるように、光ディスク装置１００の内部だけで管理されていればよい。
【００４７】
図７は、アドレス変換処理（ステップ５１２）の詳細を示すフローチャートである。
【００４８】
記録もしくは再生の目的ブロックの位置が欠陥位置１１と一致するものがあるか（ステップ７０２）、欠陥リスト８の全ての欠陥エントリ９をサーチする（ステップ７０１、７０５、７０６）。目的ブロックの位置が欠陥位置１１と一致し（ステップ７０２）、保留状態１０により交替が保留されていなければ（ステップ７０３）、目的ブロックの位置を交替位置１２に変更する（ステップ７０４）。
【００４９】
ここで、欠陥エントリ９を逐次探索したが、二分岐探索してもよい。
【００５０】
図８は、遅延交替の実行（ステップ５１８）の詳細を示すフローチャートである。
【００５１】
交替保留されているものがあるか（ステップ８０２）、欠陥リスト８の全ての欠陥エントリ９をサーチする（ステップ８０１、８０６、８０７）。交替保留されているものがあれば（ステップ８０２）、欠陥位置１１が示すブロックからデータを再生し（ステップ８０３）、交替位置１１に新しく割り当てたスペアの位置を設定するとともに保留状態１０をクリアし（ステップ８０４）、交替位置１１が示すブロックへデータを記録する（ステップ８０５）。
【００５２】
ここで、一つの交替保留された欠陥エントリ９に対する処理をすれば、ループを抜けるようにしているが、ループの中で優先処理の有無の確認（図５のステップ５０８相当）を行うのであれば、優先処理が無い間はループし続けてもよい。
【００５３】
又、図６の説明でも触れたが、交替が保留されている欠陥エントリ９だけを持つ欠陥リスト８を別個に持つのであれば、その欠陥リスト８は全て交替保留なのでステップ８０２が不要になる。
【００５４】
さらに、図５のステップ５１６において、遅延交替とした欠陥リストに登録したブロックに対する記録データをデータバッファ１５０に保持しておけば、ステップ８０３の代わりに保持したデータを利用することができる。
【００５５】
以上から、本発明の実施の形態１によれば、欠陥の中でも誤りバイト数の多少により交替処理と時間的にクリティカルな処理との優先度を切り替えることができ、データの信頼性とリアルタイム性とを兼ね備えた光ディスク装置を提供できる。
【００５６】
又、本発明の実施の形態１によれば、交替が保留された情報をディスク媒体に記録し、再び装着したときに保留されていた交替を再開することにより、たとえ交替が保留されている間であっても、ユーザの排出要求に即座に応答できるため、装置の利便性を向上させることができる。
【００５７】
なお、本発明の説明において、各領域のレイアウトや、装置のブロック構成や、フローチャートで示されるアルゴリズムは一例であって、欠陥の中でも誤りバイト数の多少に応じて処理を切り替えるという、本発明の趣旨に一致する限り、どのようなデータ構造およびアルゴリズムであっても構わない。
【００５８】
そのような変更態様は、本発明の精神ならびに適用範囲から逸脱するものでなく、同業者にとって自明な変更態様は、本発明の請求の範囲に含まれるものとする。
【産業上の利用可能性】
【００５９】
リアルタイム性が要求されるストリームデータと、信頼性が要求される管理データとが、共に存在するディスク媒体に対して、両方を満足する装置が提供できる点で有用である。
【００６０】
又、より高密度化が進むディスク媒体において、環境変化に伴う記録条件もしくは再生条件の追随を優先的に行うことで、安定な動作を行う装置が提供できる点でも有用である。
【図面の簡単な説明】
【００６１】
【図１】本発明の実施の形態１における光ディスクの誤りバイト数の出現頻度を示す図
【図２】本発明の実施の形態１における光ディスクの領域構成図
【図３】本発明の実施の形態１における欠陥リスト８のデータ構造を示す図
【図４】本発明の実施の形態１における光ディスク装置１００の構成図
【図５】欠陥管理部１６０関連を中心に光ディスク装置１００の全体動作を示すフローチャート
【図６】本発明の実施の形態１における欠陥リスト８の内容の遷移を示す図
【図７】本発明の実施の形態１におけるアドレス変換処理（ステップ５１２）の詳細を示すフローチャート
【図８】本発明の実施の形態１における遅延交替の実行（ステップ５１８）の詳細を示すフローチャート
【符号の説明】
【００６２】
１  ディスク媒体
２  トラック溝
３  ブロック
４  リードイン領域
５  データ領域
６  スペア領域
７  リードアウト領域
８  欠陥リスト
９  欠陥エントリ
１０  保留状態
１１  欠陥位置
１２  交替位置
１００  光ディスク装置
１１０  命令処理部
１２０  記録制御部
１３０  再生制御部
１４０  欠陥リストバッファ
１５０  データバッファ
１６０  欠陥管理処理部
１６１  欠陥リスト読み出し部
１６２  欠陥リスト書き込み部
１６３  アドレス変換部
１６４  欠陥リスト更新部
１６５  遅延交替実行部
【図１】
2005339738.tif 000003
【図２】
2005339738.tif 000004
【図３】
2005339738.tif 000005
【図４】
2005339738.tif 000006
【図５】
2005339738.tif 000007
【図６】
2005339738.tif 000008
【図７】
2005339738.tif 000009
【図８】
2005339738.tif 000010